(57)【要約】【課題】サーバ装置と無線通信するために必要な正規の接続情報を、任意のクライアント端末装置に簡易に設定することができるクライアント・サーバシステムを提供する。【解決手段】クライアント端末装置３には、正規の接続情報を記憶するための正規の接続情報記憶部３４３と、所定のタイミングで、ケーブルＣにより、サーバ装置１に仮の接続情報を送信する出力端子３２と、サーバ装置１から送信された正規の接続情報を受信する無線通信部３３と、当該受信された正規の接続情報を正規の接続情報記憶部３４３に記憶させる記憶制御プログラム３４４３を実行したＣＰＵ３４１と、を備え、サーバ装置１には、出力端子３２により送信された仮の接続情報を受信する入力端子１１と、当該受信された仮の接続情報を用いて、当該仮の接続情報を送信してきたクライアント端末装置３に、正規の接続情報を送信する無線通信部１３と、を備えるよう構成した。【選択図】図１
2007318650.tif 000002
【特許請求の範囲】
【請求項１】
サーバ装置と、正規の接続情報に基づいて当該サーバ装置と無線ネットワークを介して接続するクライアント端末装置と、を備えるクライアント・サーバシステムにおいて、
前記クライアント端末装置は、
前記正規の接続情報を記憶するための記憶手段と、
前記記憶手段に前記正規の接続情報が記憶されていない場合に、所定のタイミングで、有線により、前記サーバ装置に仮の接続情報を送信する有線送信手段と、
前記無線ネットワークを介して、前記仮の接続情報に基づいて接続された前記サーバ装置から送信された前記正規の接続情報を受信する無線受信手段と、
前記無線受信手段により受信された正規の接続情報を前記記憶手段に記憶させる記憶制御手段と、
を備え、
前記サーバ装置は、
前記有線送信手段により送信された仮の接続情報を受信する有線受信手段と、
前記有線受信手段により受信された仮の接続情報を用いて、当該仮の接続情報を送信してきたクライアント端末装置に、前記無線ネットワークを介して、前記正規の接続情報を送信する無線送信手段と、
を備えることを特徴とするクライアント・サーバシステム。
【請求項２】
サーバ装置と、正規の接続情報に基づいて当該サーバ装置と無線ネットワークを介して接続するクライアント端末装置と、を備えるクライアント・サーバシステムにおいて、
前記クライアント端末装置は、
前記正規の接続情報を記憶するための記憶手段と、
所定のタイミングで、有線により、前記サーバ装置に仮の接続情報を送信する有線送信手段と、
前記無線ネットワークを介して、前記仮の接続情報に基づいて接続された前記サーバ装置から送信された前記正規の接続情報を受信する無線受信手段と、
前記無線受信手段により受信された正規の接続情報を前記記憶手段に記憶させる記憶制御手段と、
を備え、
前記サーバ装置は、
前記有線送信手段により送信された仮の接続情報を受信する有線受信手段と、
前記有線受信手段により受信された仮の接続情報を用いて、当該仮の接続情報を送信してきたクライアント端末装置に、前記無線ネットワークを介して、前記正規の接続情報を送信する無線送信手段と、
を備えることを特徴とするクライアント・サーバシステム。
【請求項３】
請求項２に記載のクライアント・サーバシステムにおいて、
前記有線送信手段は、前記記憶手段に前記正規の接続情報が記憶されていない場合に、前記サーバ装置に、前記有線により、前記仮の接続情報を送信することを特徴とするクライアント・サーバシステム。
【請求項４】
請求項２又は３に記載のクライアント・サーバシステムにおいて、
前記仮の接続情報は、ＶＢＩ（Vertical Blanking Interval）に含まれていることを特徴とするクライアント・サーバシステム。
【発明の詳細な説明】
【技術分野】
【０００１】
本発明は、クライアント・サーバシステムに関する。
【背景技術】
【０００２】
サーバ装置と、当該サーバ装置と無線ネットワークを介して接続するクライアント端末装置と、を備えるクライアント・サーバシステムが知られている。
【０００３】
上記クライアント・サーバシステムにおいて、サーバ装置とクライアント端末装置との間で無線通信させるためには、セキュリティーの観点等から、無線ネットワークを識別するための識別子や通信データを暗号化・復号化するための暗号鍵などを含む接続情報を、サーバ装置とクライアント端末装置とに共有させる必要がある。
さらに、例えば、サーバ装置から複数のクライアント端末装置に同時に同一のコンテンツを送信させるためには、当該サーバ装置と当該複数のクライアント端末装置とに同一の接続情報を共有させておく必要がある。したがって、当該サーバ装置に、新たなクライアント端末装置を接続させる際、当該サーバ装置と当該複数のクライアント端末装置とが共有する接続情報を、当該新たなクライアント端末装置に設定する必要がある。
【０００４】
接続情報の設定は、従来、例えば、ユーザによる手入力によって行われており、そのため、接続情報の設定には、手間がかかる、キーボード等の入力手段を有さない装置では行えないという問題があった。
【０００５】
そこで、例えば、コンテンツが格納されたコンテンツ格納媒体（ＣＤやＤＶＤなどのディスク等）から、コンテンツに関するコンテンツ情報（コンテンツの長さや再生時間などに関する情報）を取得して、当該コンテンツ情報から接続情報を算出し、当該算出した接続情報を設定することができる通信装置が提案された（例えば、特許文献１参照）。
また、押しボタンを押す回数と押すタイミング等の情報に基づいて、接続情報を生成して設定することができる装置も提案された（例えば、特許文献２参照）。
【特許文献１】特開２００５−８０１５０号公報
【特許文献２】特開２００１−３６６３８号公報
【発明の開示】
【発明が解決しようとする課題】
【０００６】
しかしながら、特許文献１の場合は、コンテンツ格納媒体を装着できない装置では適用できないという問題がある。
また、特許文献２の場合は、押しボタンを押す回数や押すタイミングを計らなければならないため、ユーザにとって煩わしいという問題がある。
【０００７】
本発明の課題は、サーバ装置と無線通信するために必要な正規の接続情報を、任意のクライアント端末装置に簡易に設定することができるクライアント・サーバシステムを提供することにある。
【課題を解決するための手段】
【０００８】
上記課題を解決するために、請求項１に記載の発明は、
サーバ装置と、正規の接続情報に基づいて当該サーバ装置と無線ネットワークを介して接続するクライアント端末装置と、を備えるクライアント・サーバシステムにおいて、
前記クライアント端末装置は、
前記正規の接続情報を記憶するための記憶手段と、
前記記憶手段に前記正規の接続情報が記憶されていない場合に、所定のタイミングで、有線により、前記サーバ装置に仮の接続情報を送信する有線送信手段と、
前記無線ネットワークを介して、前記仮の接続情報に基づいて接続された前記サーバ装置から送信された前記正規の接続情報を受信する無線受信手段と、
前記無線受信手段により受信された正規の接続情報を前記記憶手段に記憶させる記憶制御手段と、
を備え、
前記サーバ装置は、
前記有線送信手段により送信された仮の接続情報を受信する有線受信手段と、
前記有線受信手段により受信された仮の接続情報を用いて、当該仮の接続情報を送信してきたクライアント端末装置に、前記無線ネットワークを介して、前記正規の接続情報を送信する無線送信手段と、
を備えることを特徴とする。
【０００９】
請求項２に記載の発明は、
サーバ装置と、正規の接続情報に基づいて当該サーバ装置と無線ネットワークを介して接続するクライアント端末装置と、を備えるクライアント・サーバシステムにおいて、
前記クライアント端末装置は、
前記正規の接続情報を記憶するための記憶手段と、
所定のタイミングで、有線により、前記サーバ装置に仮の接続情報を送信する有線送信手段と、
前記無線ネットワークを介して、前記仮の接続情報に基づいて接続された前記サーバ装置から送信された前記正規の接続情報を受信する無線受信手段と、
前記無線受信手段により受信された正規の接続情報を前記記憶手段に記憶させる記憶制御手段と、
を備え、
前記サーバ装置は、
前記有線送信手段により送信された仮の接続情報を受信する有線受信手段と、
前記有線受信手段により受信された仮の接続情報を用いて、当該仮の接続情報を送信してきたクライアント端末装置に、前記無線ネットワークを介して、前記正規の接続情報を送信する無線送信手段と、
を備えることを特徴とする。
【００１０】
請求項３に記載の発明は、
請求項２に記載のクライアント・サーバシステムにおいて、
前記有線送信手段は、前記記憶手段に前記正規の接続情報が記憶されていない場合に、前記サーバ装置に、前記有線により、前記仮の接続情報を送信することを特徴とする。
【００１１】
請求項４に記載の発明は、
請求項２又は３に記載のクライアント・サーバシステムにおいて、
前記仮の接続情報は、ＶＢＩ（Vertical Blanking Interval）に含まれていることを特徴とする。
【発明の効果】
【００１２】
請求項１に記載の発明によれば、クライアント端末装置は、記憶手段によって、正規の接続情報を記憶することができ、有線送信手段によって、記憶手段に正規の接続情報が記憶されていない場合に、所定のタイミングで、有線により、サーバ装置に仮の接続情報を送信することができ、無線受信手段によって、無線ネットワークを介して、仮の接続情報に基づいて接続されたサーバ装置から送信された正規の接続情報を受信することができ、記憶制御手段によって、無線受信手段により受信された正規の接続情報を記憶手段に記憶させることができ、サーバ装置は、有線受信手段によって、有線送信手段により送信された仮の接続情報を受信することができ、無線送信手段によって、有線受信手段により受信された仮の接続情報を用いて、当該仮の接続情報を送信してきたクライアント端末装置に、無線ネットワークを介して、正規の接続情報を送信することができる。
すなわち、クライアント端末装置は、サーバ装置と有線によって接続されるだけで、正規の接続情報を設定することができるため、サーバ装置と無線通信するために必要な正規の接続情報を、任意のクライアント端末装置に簡易に設定することができる。
また、クライアント端末装置は、正規の接続情報が設定されていないときだけ、正規の接続情報を設定するための処理を実行するため、効率的である。
【００１３】
請求項２に記載の発明によれば、クライアント端末装置は、記憶手段によって、正規の接続情報を記憶することができ、有線送信手段によって、所定のタイミングで、有線により、サーバ装置に仮の接続情報を送信することができ、無線受信手段によって、無線ネットワークを介して、仮の接続情報に基づいて接続されたサーバ装置から送信された正規の接続情報を受信することができ、記憶制御手段によって、無線受信手段により受信された正規の接続情報を記憶手段に記憶させることができ、サーバ装置は、有線受信手段によって、有線送信手段により送信された仮の接続情報を受信することができ、無線送信手段によって、有線受信手段により受信された仮の接続情報を用いて、当該仮の接続情報を送信してきたクライアント端末装置に、無線ネットワークを介して、正規の接続情報を送信することができる。
すなわち、クライアント端末装置は、サーバ装置と有線によって接続されるだけで、正規の接続情報を設定することができるため、サーバ装置と無線通信するために必要な正規の接続情報を、任意のクライアント端末装置に簡易に設定することができる。
【００１４】
請求項３に記載の発明によれば、請求項２に記載の発明と同様の効果が得られることは無論のこと、クライアント端末装置は、有線送信手段によって、記憶手段に正規の接続情報が記憶されていない場合に、サーバ装置に、有線により、仮の接続情報を送信することができる。
すなわち、クライアント端末装置は、正規の接続情報が設定されていないときだけ、正規の接続情報を設定するための処理を実行するため、効率的である。
【００１５】
請求項４に記載の発明によれば、請求項２又は３に記載の発明と同様の効果が得られることは無論のこと、仮の接続情報は、ＶＢＩ（Vertical Blanking Interval）に含まれている。
したがって、仮の接続情報を、既存の送信情報に含めることができるため、利便性が高い。
【発明を実施するための最良の形態】
【００１６】
以下、図を参照して、本発明にかかるクライアント・サーバシステムの最良の形態を詳細に説明する。なお、発明の範囲は、図示例に限定されない。
【００１７】
＜クライアント・サーバシステムの構成＞
まず、クライアント・サーバシステムＳの構成について、図１を参照して説明する。
【００１８】
クライアント・サーバシステムＳは、例えば、サーバ装置１と、正規の接続情報に基づいてサーバ装置１と無線ネットワークを介して接続するクライアント端末装置３と、を備えて構成される。
ここで、無線ネットワークは、例えば、IEEE（Institute of Electrical and Electronic Engineers）802.11規格などに準じた無線ＬＡＮ（Local Area Network）などのネットワークである。
【００１９】
具体的には、クライアント・サーバシステムＳでは、例えば、正規の接続情報に基づく無線通信によって、サーバ装置１からクライアント端末装置３へ、コンテンツ（映像情報や音声情報）が送信されるようになっている。
【００２０】
より具体的には、サーバ装置１は、例えば、テレビジョン放送波からコンテンツを取得する機能や記録媒体に記録されたコンテンツを再生する機能などを有しており、サーバ装置１は、例えば、正規の接続情報に基づいて接続されたクライアント端末装置３に、当該取得されたコンテンツや当該再生されたコンテンツを、無線ネットワークを介して、送信するようになっている。そして、当該送信されたコンテンツは、クライアント端末装置３と接続する出力装置４により出力されて、クライアント・サーバシステムＳのユーザによって視聴されるようになっている。
【００２１】
すなわち、サーバ装置１とクライアント端末装置３とは、同一の正規の接続情報が設定されている場合に、当該正規の接続情報に基づいて正規に接続して、無線によって、コンテンツ等の通信データを送受信することができるようになっている。
【００２２】
ここで、正規の接続情報には、例えば、所定の値からなる、無線ネットワークを識別するための識別子（例えば、ＳＳＩＤ(Service Set Identifier)等）と、所定の値からなる、通信データを暗号化・復号化するための暗号鍵と、などが含まれている。
【００２３】
さらに、サーバ装置１により取得されたコンテンツや再生されたコンテンツは、サーバ装置１と接続する出力装置２により出力されて、クライアント・サーバシステムＳのユーザによって視聴されるようになっている。
【００２４】
また、サーバ装置１とクライアント端末装置３とは、例えば、仮の接続情報に基づいて無線ネットワークを介して接続できるようになっている。
【００２５】
具体的には、クライアント・サーバシステムＳでは、例えば、仮の接続情報に基づく無線通信によって、サーバ装置１からクライアント端末装置３へ、正規の接続情報が送信されるようになっている。
【００２６】
より具体的には、サーバ装置１には、例えば、正規の接続情報が予め設定されており、サーバ装置１は、例えば、仮の接続情報に基づいて接続されたクライアント端末装置３に、当該設定された正規の接続情報を、無線ネットワークを介して、送信するようになっている。
【００２７】
すなわち、サーバ装置１とクライアント端末装置３とは、同一の仮の接続情報を認識している場合に、当該仮の接続情報に基づいて仮に接続して、無線によって、正規の接続情報をサーバ装置１からクライアント端末装置３に送信することができるようになっている。このようにして正規の接続情報が送信されると、クライアント端末装置３に、サーバ装置１に設定された正規の接続情報と同一の接続情報が設定されることになる。
【００２８】
ここで、仮の接続情報には、例えば、任意の値からなる識別子と、任意の値からなる暗号鍵と、などが含まれている。
【００２９】
また、サーバ装置１とクライアント端末装置３とは、例えば、有線としてのケーブルＣによって接続できるようになっている。
【００３０】
具体的には、クライアント・サーバシステムＳでは、例えば、ケーブルＣを介した通信によって、クライアント端末装置３からサーバ装置１へ、所定の映像情報が送信されるようになっている。当該送信される所定の映像情報に、例えば、仮の接続情報が含まれる。
【００３１】
より具体的には、クライアント端末装置３には、例えば、所定の映像情報が予め記憶されており、クライアント端末装置３は、例えば、ケーブルＣにより接続されたサーバ装置１に、当該記憶された所定の映像情報を、ケーブルＣを介して、送信するようになっている。
さらに、クライアント端末装置３は、例えば、仮の接続情報を生成できるようになっており、クライアント端末装置３は、例えば、仮の接続情報を生成した場合には、当該仮の接続情報を、サーバ装置１に送信する所定の映像情報に含ませて、ケーブルＣを介して、送信するようになっている。
【００３２】
（クライアント端末装置）
クライアント端末装置３は、例えば、図１に示すように、エンコーダ３１と、出力端子３２と、無線通信部３３と、制御部３４と、などを備えて構成される。各部は、バス３０によって接続されている。
また、クライアント端末装置３は、例えば、映像表示部４１や音声出力部４２などを有する出力装置４と接続している。
【００３３】
エンコーダ３１は、例えば、制御部３４から入力される制御信号に従って、クライアント端末装置３に予め記憶された所定の映像情報又は当該所定の映像情報に仮の接続情報を含ませたものを、所定のファイル形式（例えば、ＭＰＥＧ−２（Moving Picture Experts Group phase 2）形式等）にエンコードする。
【００３４】
出力端子３２は、例えば、制御部３４から入力される制御信号に従って、エンコーダ３１によりエンコードされた所定の映像情報を、ケーブルＣを介して、サーバ装置１の入力端子１１（後述）に出力する。
具体的には、出力端子３２は、例えば、有線送信手段の一部として、制御部３４から入力される制御信号に従って、正規の接続情報記憶部３４３（後述）に正規の接続情報が記憶されていない場合に、所定のタイミングで、ケーブルＣにより、仮の接続情報を含む所定の映像情報を、サーバ装置１に対して送信する。
【００３５】
無線通信部３３は、例えば、無線ネットワークを介して、サーバ装置１との間で無線通信を行う。
具体的には、無線通信部３３は、例えば、サーバ装置１との間で通信データの送受信を行うためのアンテナ３３１と、ＲＦ（Radio Frequency）変換器（図示省略）と、IEEE802.11規格等に準じた無線ＬＡＮに接続するための無線ＬＡＮカード（図示省略）と、などを備えている。
【００３６】
より具体的には、無線通信部３３は、例えば、無線受信手段として、無線ネットワークを介して、仮の接続情報に基づいて接続されたサーバ装置１から送信された正規の接続情報を受信する。
【００３７】
また、無線通信部３３は、例えば、無線ネットワークを介して、正規の接続情報に基づいて接続されたサーバ装置１から送信されたコンテンツ等の通信データを受信する。そして、当該受信されたコンテンツは、例えば、クライアント端末装置３が備えるデコーダ（図示省略）によりデコードされて、出力装置４に出力されるようになっている。
【００３８】
出力装置４が有する映像表示部４１は、例えば、液晶表示機器等であり、例えば、無線通信部３３により受信されたコンテンツに含まれる映像情報に基づく映像を表示する。
また、出力装置４が有する音声出力部４２は、例えば、スピーカ機器等であり、例えば、無線通信部３３により受信されたコンテンツに含まれる音声情報に基づく音声を出力する。
【００３９】
制御部３４は、例えば、図１に示すように、ＣＰＵ（Central Processing Unit）３４１と、ＲＡＭ（Random Access Memory）３４２と、正規の接続情報記憶部３４３と、ＲＯＭ３４４と、などを備えている。
【００４０】
ＣＰＵ３４１は、ＲＯＭ３４４に記憶されたクライアント端末装置３用の各種処理プログラムに従って各種の制御動作を行う。
【００４１】
ＲＡＭ３４２は、ＣＰＵ３４１によって実行される処理プログラムなどを展開するためのプログラム格納領域や、入力データや上記処理プログラムが実行される際に生じる処理結果などを格納するデータ格納領域などを備える。
【００４２】
正規の接続情報記憶部３４３は、例えば、ＥＰＲＯＭ（Erasable Programmable ROM）等の不揮発性メモリから構成され、記憶手段として、無線通信部３３により受信された正規の接続情報を記憶する。
【００４３】
ＲＯＭ３４４は、クライアント端末装置３で実行可能なシステムプログラム、当該システムプログラムで実行可能な各種処理プログラム、これら各種処理プログラムを実行する際に使用されるデータ、ＣＰＵ３４１によって演算処理された処理結果のデータなどを記憶する。なお、プログラムは、コンピュータが読み取り可能なプログラムコードの形でＲＯＭ３４４に記憶されている。
具体的には、ＲＯＭ３４４は、例えば、図１に示すように、仮の接続情報生成プログラム３４４１と、有線送信制御プログラム３４４２と、記憶制御プログラム３４４３と、などを記憶している。
また、ＲＯＭ３４４は、例えば、所定の映像情報等を記憶している。
【００４４】
仮の接続情報生成プログラム３４４１は、例えば、クライアント端末装置３に正規の接続情報が設定されていない場合に、すなわち、正規の接続情報記憶部３４３に正規の接続情報が記憶されていない場合に、所定のタイミングで、任意の値からなる識別子と、任意の値からなる暗号鍵と、などを含む仮の接続情報を生成する機能を、ＣＰＵ３４１に実現させる。
具体的には、所定のタイミングとは、例えば、クライアント端末装置３の電源が投入された直後である。
【００４５】
有線送信制御プログラム３４４２は、例えば、所定のタイミングで、ＲＯＭ３４４に記憶された所定の映像情報をデコーダ（図示省略）にデコードさせて、当該デコードされた所定の映像情報をエンコーダ３１にエンコードさせ、そして、出力端子３２に制御信号を入力して、当該エンコードされた所定の映像情報を、ケーブルＣにより、サーバ装置１に対して送信させる機能を、ＣＰＵ３４１に実現させる。
ここで、ＣＰＵ３４１は、例えば、正規の接続情報記憶部３４３に正規の接続情報が記憶されていない場合には、すなわち、仮の接続情報生成プログラム３４４１を実行したＣＰＵ３４１により仮の接続情報が生成された場合には、当該生成された所定の接続情報を、デコーダ（図示省略）によりデコードされた所定の映像情報に含ませて、当該仮の接続情報を含む所定の映像情報をエンコーダ３１にエンコードさせ、そして、サーバ装置１に対して送信させるようになっている。
【００４６】
具体的には、所定のタイミングとは、例えば、クライアント端末装置３の電源が投入された直後である。
また、ＣＰＵ３４１は、仮の接続情報を、例えば、所定の映像情報に含まれるＶＢＩ（Vertical Blanking Interval）のうちのクローズドキャプションに含ませる。
ＣＰＵ３４１は、かかる有線送信制御プログラム３４４２を実行することによって、出力端子３２とともに有線送信手段として機能する。
【００４７】
記憶制御プログラム３４４３は、例えば、無線通信部３３により受信された正規の接続情報を正規の接続情報記憶部３４３に記憶させる機能、すなわち、クライアント端末装置３に正規の接続情報を設定する機能を、ＣＰＵ３４１に実現させる。
ＣＰＵ３４１は、かかる記憶制御プログラム３４４３を実行することによって、記憶制御手段として機能する。
【００４８】
（サーバ装置）
サーバ装置１は、例えば、図１に示すように、入力端子１１と、デコーダ１２と、無線通信部１３と、制御部１４と、などを備えて構成される。各部は、バス１０によって接続されている。
また、サーバ装置１は、例えば、映像表示部２１や音声出力部２２などを有する出力装置２と接続している。
【００４９】
入力端子１１には、例えば、クライアント端末装置３の出力端子３２から出力された所定の映像情報が、ケーブルＣを介して、入力される。
具体的には、入力端子１１は、例えば、有線受信手段として、出力端子３２により送信された仮の接続情報を含む所定の映像情報を受信する。
【００５０】
デコーダ１２は、例えば、制御部１４から入力される制御信号に従って、入力端子１１に入力された所定の映像情報をデコードして、出力装置４に出力する。
また、デコーダ１２は、例えば、入力端子１１に入力された所定の映像情報に仮の接続情報が含まれている場合には、当該入力された所定の映像情報をデコードして、当該デコードされた所定の映像情報から仮の接続情報を分離し、そして、当該デコードされた所定の映像情報を出力装置４に出力するとともに、当該分離された仮の接続情報を制御部１４に出力する。
【００５１】
出力装置２が有する映像表示部２１は、例えば、液晶表示機器等であり、例えば、デコーダ１２によりデコードされた所定の映像情報に基づく映像を表示する。
なお、所定の映像情報に仮の接続情報が含まれている場合は、映像表示部２１に仮の接続情報に基づく文字列等が表示されることになるが、この文字列等は意味のないものであり、映像の視認性に影響がないようになっている。
また、出力装置２が有する音声出力部２２は、例えば、スピーカ機器等である。
【００５２】
無線通信部１３は、例えば、無線ネットワークを介して、クライアント端末装置３との間で無線通信を行う。
具体的には、無線通信部１３は、例えば、クライアント端末装置３との間で通信データの送受信を行うためのアンテナ１３１と、ＲＦ（Radio Frequency）変換器（図示省略）と、IEEE802.11規格等に準じた無線ＬＡＮに接続するための無線ＬＡＮカード（図示省略）と、などを備えている。
【００５３】
より具体的には、無線通信部１３は、例えば、無線送信手段の一部として、制御部１４から入力される制御信号に従って、入力端子１１により受信された仮の接続情報を用いて当該仮の接続情報を送信してきたクライアント端末装置３の無線通信部３３と接続し、そして、当該仮の接続情報に基づいて接続されたクライアント端末装置３の無線通信部３３に対して、無線ネットワークを介して、正規の接続情報を送信する。
【００５４】
また、無線通信部１３は、例えば、制御部１４から入力される制御信号に従って、無線ネットワークを介して、正規の接続情報に基づいて接続されたクライアント端末装置３に対して、コンテンツ等の通信データを送信する。
【００５５】
制御部１４は、例えば、図１に示すように、ＣＰＵ１４１と、ＲＡＭ１４２と、正規の接続情報記憶部１４３と、ＲＯＭ１４４と、などを備えている。
【００５６】
ＣＰＵ１４１は、ＲＯＭ１４４に記憶されたサーバ装置１用の各種処理プログラムに従って各種の制御動作を行う。
【００５７】
ＲＡＭ１４２は、ＣＰＵ１４１によって実行される処理プログラムなどを展開するためのプログラム格納領域や、入力データや上記処理プログラムが実行される際に生じる処理結果などを格納するデータ格納領域などを備える。
【００５８】
正規の接続情報記憶部１４３は、例えば、ＥＰＲＯＭ（Erasable Programmable ROM）等の不揮発性メモリから構成され、予め正規の接続情報が記憶されている。すなわち、サーバ装置１には、予め正規の接続情報が設定されている。
【００５９】
ＲＯＭ１４４は、サーバ装置１で実行可能なシステムプログラム、当該システムプログラムで実行可能な各種処理プログラム、これら各種処理プログラムを実行する際に使用されるデータ、ＣＰＵ１４１によって演算処理された処理結果のデータなどを記憶する。なお、プログラムは、コンピュータが読み取り可能なプログラムコードの形でＲＯＭ１４４に記憶されている。
具体的には、ＲＯＭ１４４は、例えば、図１に示すように、無線送信制御プログラム１４４１等を記憶している。
【００６０】
無線送信制御プログラム１４４１は、例えば、無線通信部１３に制御信号を入力して、入力端子１１により受信された仮の接続情報を用いて当該仮の接続情報を送信してきたクライアント端末装置３の無線通信部３３と接続させ、そして、当該仮の接続情報に基づいて接続されたクライアント端末装置３の無線通信部３３に対して、無線ネットワークを介して、正規の接続情報記憶部１４３に記憶された正規の接続情報を送信させる機能を、ＣＰＵ１４１に実現させる。
ＣＰＵ１４１は、かかる無線送信制御プログラム１４４１を実行することによって、無線通信部１３とともに無線送信手段として機能する。
【００６１】
＜正規の接続情報設定処理＞
次に、本発明にかかるクライアント・サーバシステムＳによる、クライアント端末装置３への正規の接続情報の設定に関する処理について、図２のフローチャートを参照して説明する。
【００６２】
まず、クライアント端末装置３の電源が投入されると（ステップＳ１）、クライアント端末装置３のＣＰＵ３４１は、仮の接続情報生成プログラム３４４１を実行して、正規の接続情報記憶部３４３に正規の接続情報が記憶されているか否か、すなわち、クライアント端末装置３に正規の接続情報が設定されているか否かを判断する（ステップＳ２）。
【００６３】
ステップＳ２で、クライアント端末装置３に正規の接続情報が設定されていると判断すると（ステップＳ２；Ｙｅｓ）、ＣＰＵ３４１は、有線送信制御プログラム３４４２を実行して、出力端子３２に制御信号を入力して、クライアント端末装置３に予め記憶された所定の映像情報を、ケーブルＣを介して、サーバ装置１に対して送信させ、本処理を終了する。
【００６４】
ステップＳ２で、クライアント端末装置３に正規の接続情報が設定されていないと判断すると（ステップＳ２；Ｎｏ）、ＣＰＵ３４１は、仮の接続情報を生成する（ステップＳ３）。
【００６５】
次いで、ＣＰＵ３４１は、有線送信制御プログラム３４４２を実行して、クライアント端末装置３に予め記憶された所定の映像情報に、ステップＳ３で生成された仮の接続情報を含ませ、そして、出力端子３２に制御信号を入力して、当該仮の接続情報を含んだ所定の映像情報を、ケーブルＣを介して、サーバ装置１に対して送信させる（ステップＳ４）。
【００６６】
ステップＳ４で送信された仮の接続情報を含んだ所定の映像情報を、サーバ装置１の入力端子１１が受信すると（ステップＳ５）、サーバ装置１のＣＰＵ１４１は、無線送信制御プログラム１４４１を実行して、無線通信部１３に制御信号を入力して、正規の接続情報記憶部１４３に記憶された正規の接続情報を、ステップＳ５で受信された仮の接続情報を用いて、無線ネットワークを介して、当該仮の接続情報を送信してきたクライアント端末装置３に対して送信させる（ステップＳ６）。
【００６７】
ステップＳ６で送信された正規の接続情報を、クライアント端末装置３の出力端子３２が受信すると（ステップＳ７）、クライアント端末装置３のＣＰＵ３４１は、記憶制御プログラム３４４３を実行して、ステップＳ７で受信した正規の接続情報を、正規の接続情報記憶部３４３に記憶させて、すなわち、クライアント端末装置３に正規の接続情報を設定して（ステップＳ８）、本処理を終了する。
【００６８】
以上説明した本発明のクライアント・サーバシステムＳ、すなわち、サーバ装置１と、正規の接続情報に基づいてサーバ装置１と無線ネットワークを介して接続するクライアント端末装置３と、を備えるクライアント・サーバシステムＳによれば、クライアント端末装置３は、正規の接続情報記憶部３４３によって、正規の接続情報を記憶することができ、出力端子３２及び有線送信制御プログラム３４４２を実行したＣＰＵ３４２によって、所定のタイミングで（例えば、クライアント端末装置３の電源が投入された直後に）、ケーブルＣを介して、サーバ装置１に仮の接続情報を送信することができ、無線通信部３３によって、無線ネットワークを介して、仮の接続情報に基づいて接続されたサーバ装置１から送信された正規の接続情報を受信することができ、記憶制御プログラム３４４３を実行したＣＰＵ３４１によって、無線通信部３３により受信された正規の接続情報を正規の接続情報記憶部３４３に記憶させることができ、サーバ装置１は、入力端子１１によって、出力端子３２及び有線送信制御プログラム３４４２を実行したＣＰＵ３４２により送信された仮の接続情報を受信することができ、無線通信部１３及び無線送信制御プログラム１４４１を実行したＣＰＵ１４１によって、入力端子１１により受信された仮の接続情報を用いて、当該仮の接続情報を送信してきたクライアント端末装置３に、無線ネットワークを介して、正規の接続情報を送信することができる。
すなわち、クライアント端末装置３は、サーバ装置１とケーブルＣによって接続されるだけで、正規の接続情報を設定することができるため、サーバ装置１と無線通信するために必要な正規の接続情報を、任意のクライアント端末装置３に簡易に設定することができる。
【００６９】
また、クライアント端末装置３は、出力端子３２及び有線送信制御プログラム３４４２を実行したＣＰＵ３４１によって、正規の接続情報記憶部３４３に正規の接続情報が記憶されていない場合に、サーバ装置１に、ケーブルＣを介して、仮の接続情報を送信することができる。
すなわち、クライアント端末装置３は、正規の接続情報が設定されていないときだけ、正規の接続情報を設定するための処理を実行するため、効率的である。
【００７０】
また、仮の接続情報は、所定の映像情報のうちのＶＢＩ（Vertical Blanking Interval）に含まれている。
したがって、仮の接続情報を、既存の送信情報である所定の映像情報に含めることができるため、利便性が高い。
【００７１】
なお、本発明は、上記した実施の形態のものに限るものではなく、その要旨を逸脱しない範囲で適宜変更可能である。
例えば、クライアント端末装置３は、仮の接続情報を所定の映像情報に含ませてサーバ装置１に送信したが、仮の接続情報を単独でサーバ装置１に送信してもよい。
【００７２】
また、例えば、クライアント端末装置３は、正規の接続情報が設定されていない場合に、仮の接続情報を含んだ所定の映像情報をサーバ装置１に送信し、正規の接続情報が設定されている場合に、仮の接続情報を含まない所定の映像情報をサーバ装置１に送信したが、正規の接続情報が設定されている場合には、所定の映像情報をサーバ装置１に送信しなくてもよい。
【００７３】
また、例えば、サーバ装置１は、出力装置２を接続していなくてもよい。
【図面の簡単な説明】
【００７４】
【図１】本発明にかかるクライアント・サーバシステムの構成を示すブロック図である。
【図２】本発明にかかるクライアント・サーバシステムによる、クライアント端末装置への正規の接続情報の設定に関する処理を説明するためのフローチャートである。
【符号の説明】
【００７５】
１  サーバ装置
１１  入力端子（有線受信手段）
１３  無線通信部（無線送信手段）
１４１  ＣＰＵ（無線送信手段）
１４４１  無線送信制御プログラム（無線送信手段）
３  クライアント端末装置
３２  出力端子（有線送信手段）
３３  無線通信部（無線受信手段）
３４１  ＣＰＵ（有線送信手段、記憶制御手段）
３４３  正規の接続情報記憶部（記憶手段）
３４４２  有線送信制御プログラム（有線送信手段）
３４４３  記憶制御プログラム（記憶制御手段）
Ｃ  ケーブル
Ｓ  クライアント・サーバシステム
【図１】
2007318650.tif 000003
【図２】
2007318650.tif 000004